(57)【特許請求の範囲】
【請求項１】
１つ以上の限定受信モジュールを受信機に接続するインタフェースにおいて、
上記限定受信モジュールが接続されるソケットと、該ソケットに接続された複数の入力ライン及び複数の出力ラインとをそれぞれ有する複数のインタフェースセクションを備え、
１つのインタフェースセクションの複数の入力ラインを次のインタフェースセクションの複数の出力ラインにそれぞれ接続することによって、上記複数のインタフェースセクションを直列に接続し、
上記各インタフェースセクションは、そのインタフェースセクションの複数の出力ラインとそのインタフェースセクションの複数の入力ラインを接続する電子制御スイッチを有し、該電子制御スイッチは、そのインタフェースセクションのソケットを選択的にバイパスし、
上記各インタフェースセッションは、選択的に、そのインタフェースセクションの複数の出力ラインを上記ソケットに接続し、又は該複数の出力ラインのレベルとして所定のレベルを出力する、制御ラインを介して制御される電気的に制御可能な出力ゲートを有することを特徴とするインタフェース。
【請求項２】
上記電子制御スイッチは、イネーブルラインによって制御されるトライステートバッファであることを特徴とする請求項１記載のインタフェース。
【請求項３】
上記各インタフェースセクションは、１１本の入力ラインと１１本の出力ラインとを有し、上記トライステートバッファは、１１ビットのトライステートバッファであることを特徴とする請求項２記載のインタフェース。
【請求項４】
上記各インタフェースセクションは、選択的に、そのインタフェースセクションの１１本の出力ラインを上記ソケットに接続し、又は該１１本の出力ラインのレベルとして所定のレベルを出力する、制御ラインを介して制御される電気的に制御可能な１１個の出力ゲートを有することを特徴とする請求項３記載のインタフェース。
【請求項５】
上記各インタフェースセクションの出力ゲートは、選択的に、そのインタフェースセクションの複数の出力ラインを上記ソケットに接続し、又は該複数の出力ラインのレベルとして所定のレベルを出力する、制御可能なトランスポートストリームハンドラの一部であることを特徴とする請求項１記載のインタフェース。
【請求項６】
上記受信機は、デジタルビデオ受信機であることを特徴とする請求項１乃至５いずれか１項記載のインタフェース。
【請求項７】
上記受信機は、デジタルビデオ放送受信機であることを特徴とする請求項６記載のインタフェース。
【請求項８】
請求項１乃至６いずれか１項記載のインタフェースと、
トランスポートストリーム源とを備え、
上記直列に接続されたインタフェースセクションの列における１番目のインタフェースセクションの出力ラインが上記トランスポートストリーム源に接続していることを特徴とするインタフェース装置。
【請求項９】
上記各インタフェースセクションに接続されたソケットを備えることを特徴とする請求項８記載のインタフェース装置。
【請求項１０】
上記各ソケットは、標準的なＰＣカードのソケットであることを特徴とする請求項９記載のインタフェース装置。
【請求項１１】
上記受信機は、デジタルビデオ受信機であることを特徴とする請求項８乃至１０いずれか１項記載のインタフェース装置。
【請求項１２】
上記受信機は、デジタルビデオ放送受信機であることを特徴とする請求項１１記載のインタフェース装置。
【請求項１３】
１１本の入力ラインと、
上記各入力ラインに接続される１１本の第１の出力ラインと、
上記各入力ラインに対応した１１本の第２の出力ラインと、
上記入力ラインと上記第２の出力ラインをトライステートバッファによって選択的に接続するためのイネーブルラインと、
上記入力ラインのレベルに拘わらず、上記第１の出力ラインの出力レベルを出力ゲートによって選択的に０にするための制御ラインとを備える受信機内で用いられる集積回路。
【請求項１４】
上記受信機は、デジタルビデオ受信機であることを特徴とする請求項１３記載の集積回路。
【請求項１５】
上記受信機は、デジタルビデオ放送受信機であることを特徴とする請求項１４記載の集積回路。
【請求項１６】
限定受信モジュールが接続されるソケットと、該ソケットに接続された複数の入力ライン及び複数の出力ラインとを備える複数のインタフェースセクションを備えるインタフェースにおいて、１つ以上の限定受信モジュールを受信機に接続する接続方法において、
１つのインタフェースセクションの複数の入力ラインを次のインタフェースセクションの複数の出力ラインにそれぞれ接続することによって、上記複数のインタフェースセクションを直列に接続するステップと、
上記限定受信モジュールが上記インタフェースセクションのソケットに接続されていないときに、そのインタフェースセクションの複数の出力ラインとそのインタフェースセクションの複数の入力ラインとを電子制御スイッチを介して接続して、該ソケットを選択的にバイパスするステップと、
上記限定受信モジュールからカード情報を読み出すときに、制御ラインを介して制御される電気的に制御可能な出力ゲートによって、上記複数の出力ラインのレベルとして所定のレベルを出力するステップとを有するインタフェースの接続方法。
【請求項１７】
上記受信機は、デジタルビデオ受信機であることを特徴とする請求項１６記載の接続方法。
【請求項１８】
上記受信機は、デジタルビデオ放送受信機であることを特徴とする請求項１７記載の接続方法。
【発明の詳細な説明】
【０００１】
【発明の属する技術分野】
本発明は、受信機と限定受信モジュールとの間のインタフェース、そのインタフェースの接続方法、インタフェース装置及び、インタフェースの一部となる集積回路に関する。
【０００２】
【従来の技術】
セットトップボックス（set top box：以下ＳＴＢという。）は、デジタルビデオ放送（digital video broadcast：以下ＤＶＢという。）に関連した装置である。ＳＴＢが、ＤＶＢの放送信号をデコードし、デコードしたデータをテレビジョン受信機に供給することにより、画面上で画像を表示することができる。ＤＶＢデータは、通常、スクランブルされていたり、暗号化されていたりするが、これは、受信契約を結んだ受信者のみが、放送された番組を視聴できるようにするためになされている。これに対処するために、ＳＴＢは、ＤＶＢデータをデスクランブルする限定受信（conditional access sub-system：以下ＣＡＳＳという。）モジュールを備える。
【０００３】
ＤＶＢ受信機は、ＳＴＢとして又はテレビジョン受信機の一部として提供されてきた。一方、ＤＶＢ受信機を、様々なＤＶＢサービスを享受するために用いることを可能とするために、ＤＶＢ受信機に多くのソケットを設けることも提案されているが、これらの各ソケットは、各ＣＡＳＳモジュールを接続するためのものである。特に、「限定受信及び他のデジタル放送デコーダのアプリケーションに共通なインタフェースの仕様書」（Common Interface Specification for Conditional Access and Other Digital Broadcasting Decoder Application CENELECEN50221）の中で、ＤＶＢ受信機の標準規格が提案されている。各ＣＡＳＳモジュールは、１つ以上のＤＶＢデータをデスクランブルするための情報を有する。ＣＡＳＳモジュールは、さらにサービス契約情報も有するが、この情報はサービス業者によって制御され、サービス業者は、スクランブルされたデータをデスクランブルするための鍵情報とサービス管理情報を運ぶ暗号化されたメッセージを用いて、ＣＡＳＳモジュールと通信することができる。
【０００４】
【発明が解決しようとする課題】
したがって、各サービス業者が、独自のＣＡＳＳモジュールと通信し、一方、利用者が、ＤＶＢ受信機を取り替えることなく、ＣＡＳＳモジュールを代えることができるようにするためには、１つのＤＶＢ受信機と複数のＣＡＳＳモジュールのソケットとの間にインタフェースを設ける必要があり、このインタフェースにより、ＤＶＢ受信機及びＣＡＳＳモジュールの機能を損なわずに、ＤＶＢ受信機と、１つから最大数までの任意の数のＣＡＳＳモジュールを接続することを可能にすることが望まれる。
【０００５】
すなわち、本発明の目的は、１つの受信機と各サービス業者に対応した複数のＣＡＳＳモジュールを接続する際、各サービス業者が独自の暗号化とそれに対応した独自のＣＡＳＳモジュールとを指定するのに拘わらず、また、利用者がどのサービス業者と契約し、したがって、どのＣＡＳＳモジュールをどのソケットに接続するかに拘わらず、１つの受信機を用いて利用者が契約したサービスを享受することを可能とする、インタフェース、インタフェースの接続方法、インタフェース装置及びインタフェースの一部となる集積回路を提供することである。
【０００６】
【発明を解決するための手段】
本発明に係るインタフェースの接続方法は、１つ以上のＣＡＳＳモジュールを受信機に接続するための複数のインタフェースセクションを有し、各インタフェースセクションは、各ＣＡＳＳモジュールが接続されるソケットと、このソケットに接続された複数の入力ライン及び複数の出力ラインとを備えるインタフェースにおいて、１つのインタフェースセクションの複数の入力ラインを次のインタフェースセクションの複数の出力ラインにそれぞれ接続することによって、複数のインタフェースセクションを直列に接続するステップと、ＣＡＳＳモジュールがインタフェースセクションのソケットに接続されていないときに、そのインタフェースセクションの複数の出力ラインとそのインタフェースセクションの複数の入力ラインとを電子制御スイッチを介して接続して、該ソケットを選択的にバイパスするステップと、ＣＡＳＳモジュールからカード情報を読み出すときに、制御ラインを介して制御される電気的に制御可能な出力ゲートによって、複数の出力ラインのレベルとして所定のレベルを出力するステップとを有する。
【０００７】
本発明に係るインタフェースは、１つ以上のＣＡＳＳモジュールをＤＶＢ受信機に接続するためのものであり、ＣＡＳＳモジュールが接続されるソケットと、ソケットに接続された複数の入力ライン及び複数の出力ラインとをそれぞれ有する複数のインタフェースセクションを備え、１つのインタフェースセクションの複数の入力ラインを次のインタフェースセクションの複数の出力ラインにそれぞれ接続することによって、複数のインタフェースセクションを直列に接続し、各インタフェースセクションは、そのインタフェースセクションの複数の出力ラインとそのインタフェースセクションの複数の入力ラインを接続する電子制御スイッチを有し、電子制御スイッチは、そのインタフェースセクションのソケットを選択的にバイパスし、各インタフェースセッションは、選択的に、そのインタフェースセクションの複数の出力ラインをソケットに接続し、又は複数の出力ラインのレベルとして所定のレベルを出力する、制御ラインを介して制御される電気的に制御可能な出力ゲートを有することを特徴とする。
【０００８】
このようなインタフェースを用いるインタフェース装置は、インタフェースを制御して、ＣＡＳＳモジュールが接続されていない場合に、対応するソケットをバイパスすることができる。例えば、４つのうち３つのソケットが用いられ、使われていないソケットが４番目のソケットである場合、インタフェース装置は、使用されていない４番目のソケットをバイパスすることができる。これにより、トランスポートストリームを、中断させることなく、各インタフェースセクション、各ソケット及び各ＣＡＳＳモジュールに連続的に転送できる。
【０００９】
以下に説明するように、入力ライン及び出力ラインを各１１本ずつ備えることを提案する。しかしながら、従来の切換回路は、８ビットのスイッチを用いていた。本発明で要求される切換を実行するためにこれを用いると、８ビットのスイッチを２つ用いなければならないが、切換回路が使用されない余分な素子を含むことになり、経済的でない。この点を考慮して、本発明では、電子制御スイッチとして、１１ビットのトライステートバッファを用いる。
【００１０】
ＣＡＳＳモジュールがソケットに接続されたときに、ここでは考慮しない別のラインやピンを介して、ＣＡＳＳモジュールを初期化する必要がある。各ＣＡＳＳモジュールは、直列に接続されたインタフェースセクションにそれぞれ接続されているので、トランスポートストリームが、各ＣＡＳＳモジュールに転送され、初期化の過程において問題が生ずる可能性がある。
【００１１】
この点を考慮して、各インタフェースセクションは、そのインタフェースセクションの複数の出力ラインをソケットに接続する電気的に制御可能な出力ゲートを備え、この出力ゲートの出力レベルは、出力ラインのレベルに拘わらず、制御ラインによって所定のレベルに選択的に定められる。この出力レベルは、好ましくは０に設定される。上述の各部品の配置は、非常に有益な機能を有するが、複数の接続端子や恐らくは１１個ずつ専用の部品を製造する必要が生ずるため、複雑さとコストの点で不満足なものである。この点を考慮して、各インタフェースセクションは、トランスポートストリームハンドラ（以下ＴＳハンドラという。）の一部であるというのが好ましい実施の形態である。このＴＳハンドラは、選択的に、インタフェースセクションの複数の出力ラインとそれに対応するソケットとを接続するか、これら複数の出力ラインの出力レベルの代わりに、所定のレベルを出力するように調整可能である。
【００１２】
本発明に係る集積回路は、ＴＳハンドラの内部回路として、１１本の入力ラインと、各入力ラインに接続される１１本の第１の出力ラインと、各入力ラインに対応した１１本の第２の出力ラインと、入力ラインと第２の出力ラインをトライステートバッファによって選択的に接続するためのイネーブルラインと、入力ラインのレベルに拘わらず、第１の出力ラインの出力レベルを出力ゲートによって選択的に０にするための制御ラインとを備える。
【００１３】
この回路を用いることにより、インタフェースセクションは、単一の回路として製造され、ソケットをバイパスする機能及び選択的に第１の出力ラインを０にする機能を同一の回路が有することになる。ソケットをバイパスするためのスイッチの入力端子と出力ゲートの入力端子が共通なために、インタフェースに用いるピンの総数を減じることができ、製造コストを抑えることができる。また、この回路を用いないで各パーツを製造する場合より、単一の専用回路を製造するだけでよいために、経済的に実現しやすい。
【００１４】
本発明は、さらに、装置の規模の拡大又は縮小を非常に容易にするという利点を有する。特に、２つのインタフェースセクション、すなわち２つのソケットを用いる装置において、インタフェースセクション、すなわちソケットを容易に付け加えることができ、これに関して何ら設計のし直しの必要などは生じない。
【００１５】
上述した受信機は、ＤＶＢ受信機などのデジタル受信機であることが好ましい。
【００１６】
使用されるソケットは、１９９５年２月にＰＣカードの基準となったＰＣＭＣＩＡ（Personal Computer Memory Card Industry Association）によって規定されたような、ＰＣカードのソケットであることが好ましい。
【００１７】
【発明の実施の形態】
以下、本発明に係るインタフェース、インタフェースの接続方法、インタフェース装置及びインタフェースを制御する集積回路について、図面を参照しながら説明する。
【００１８】
図１は、複数のソケット１を備えるインタフェース２を示す図である。インタフェース２はバッファ３を介してデジタルビデオ放送受信機（digital video broadcast receiver：以下ＤＶＢ受信機という。）内のマイクロプロセッサのバスに接続されている。また、図示していないが、複数のソケット１には、限定受信（conditional access sub-system：以下ＣＡＳＳという。）モジュールが挿入される。このような構成により、インタフェース２のソケット１は、ＣＡＳＳモジュールとＤＶＢ受信機間のインタフェースを司る。
【００１９】
各ＣＡＳＳモジュールは、通常、放送データをデスクランブルすることにより、放送サービスを享受することを可能とする。ＣＡＳＳモジュールは、サービス業者によって管理されているサービス契約情報も有する。サービス業者は、スクランブルされたデータをデスクランブルするための鍵情報とサービス管理情報を運ぶ暗号化されたメッセージを用いて、ＣＡＳＳモジュールと通信する。
【００２０】
ソケット１を介して複数の異なるＣＡＳＳモジュールとインタフェース２を接続することによって、各サービス業者は、独自のＣＡＳＳモジュールを用いることができ、同一の放送方式のサービスにおいて、異なるＣＡＳＳモジュールを用いることができ、さらに、受信者がＤＶＢ受信機を代えることなく、様々なＣＡＳＳモジュールを使用し又はＣＡＳＳモジュールを変更することができる。
【００２１】
ソケット１は、標準的なＰＣカードのソケットであることが好ましい。このソケット１は、ＰＣカードの規格と機械的に同一であり、電気的に類似しているが、これは、幾つかのピンが、ＤＶＢ受信機がＰＣカードに準拠したＣＡＳＳモジュールとの間で送受信される１バイト幅のＭＰＥＧトランスポートストリームを転送するために規格し直されることを意味する。特に、ここで考慮するデータ転送ラインは、１１ビットのバスであり、８本のデータライン、１本のＴＳイネーブルライン、１本のパケットデータスタートライン及び１本のクロックラインよりなる。ＣＡＳＳモジュールのＰＣカードに準拠した他のピンとラインは、ここでは示さない別の目的のために用いられる。
【００２２】
標準的なＰＣカードがソケット１に不注意に挿入される可能性があるので、このソケットは、カードが挿入されたとき、標準的なＰＣカードのインタフェースとして提供され、挿入されたカードが、ＣＡＳＳモジュールと互換性があるときのみ、上述したＤＶＢ受信機のインタフェースのフォーマットに切り換わるように設計する。
【００２３】
ＭＰＥＧトランスポートストリームが、１つのＣＡＳＳモジュールから次のＣＡＳＳモジュールへ転送されていくように、ソケット１は、直列に接続されるか、デイジーチェイン方式で接続される。この接続方法により、ＭＰＥＧトランスポートストリームが、様々なサービス業者によって提供された幾つかの放送サービスを含む場合、各ＣＡＳＳモジュールは、対応したデータをデスクランブルすることができる。この過程を詳述すると、ＭＰＥＧトランスポートストリームは、第１のＣＡＳＳモジュールに転送され、そこで第１のＣＡＳＳモジュールに対応したデータをデスクランブルし、次に第２のＣＡＳＳモジュールへ転送される。デスクランブルされたデータとまだでスクランブルされていないデータを含むＭＰＥＧトランスポートストリームは、連続的に各ＣＡＳＳモジュールへと転送されていき、そこで対応したデータがデスクランブルされて、次に送られる。トランスポートストリーム源（以下ＴＳ源という。）からのトランスポートストリームは、直列に接続された第１のＣＡＳＳモジュールに供給され、最後のＣＡＳＳモジュールの出力トランスポートストリームは、ＤＶＢ受信機に供給される。
【００２４】
上述した接続方法により、利用者は、ＣＡＳＳモジュールを取り替えることなく、１つのＤＶＢ受信機で、複数のサービス業者のＣＡＳＳモジュールを利用することができる。しかしながら、ＣＡＳＳモジュールが接続されていないソケット１がある場合、上述した直列又はデイジーチェインの接続が切断され、ＭＰＥＧトランスポートストリームを、全てのＣＡＳＳモジュールを介してＤＶＢ受信機へ供給することができない。
【００２５】
図２に、１１ビットのバスを用いた、デイジーチェイン方式に接続したインタフェースを示す。ここで、インタフェース装置５は、ＴＳ源４と、対応したソケット１が接続された複数のインタフェースセクション６とを備える。
【００２６】
各インタフェースセクション６は、トランスポートストリームを受け取るための１１本のバスライン７と、トランスポートストリームをソケット１に供給するための１１本の出力ライン８と、ソケット１を介して供給されるトランスポートストリームを転送するための１１本の入力ライン９と、トランスポートストリームを出力するための１１本のバスライン１０とを備える。これにより、１つのインタフェースセクション６から次のインタフェースセクション６へと転送されてゆくＭＰＥＧトランスポートストリームは、連続的に全てのＣＡＳＳモジュールへ供給される。
【００２７】
各インタフェースセクション６は、また、バスライン７とバスライン１０間、換言すれば出力ライン８と入力ライン９間に接続されたトライステートバッファ１１を備える。このトライステートバッファ１１により、あるソケット１、例えばソケット１＃３にＣＡＳＳモジュールが接続されていないときには、ＴＳイネーブルライン１２を介して、ソケット１＃３に対応したトライステートバッファ１１をイネーブルする指令が送られる。これにより、バスライン７とバスライン１０が接続され、結果として出力ライン８と入力ライン９が接続される。
【００２８】
このように、ＣＡＳＳモジュールが接続してないソケット１がある場合、そのソケット１はバイパスされ、対応したインタフェースセクション６は、単にトランスポートストリームを次のインタフェースセクション６へ転送する。したがって、ＭＰＥＧトランスポートストリームは、途中で転送を妨げられることがない。
【００２９】
あるＣＡＳＳモジュールが、ソケット１に接続されたとき、最初にそのＣＡＳＳモジュールとそのソケット１との間のインタフェースは、ＰＣＭＣＩＡにより規定された標準的なＰＣカードに準拠したものとして扱われる。ＤＶＢ受信機内のマイクロプロセッサが、ＰＣカード上のカード情報（card information structure：以下ＣＩＳという。）から、挿入されたカードが、標準的なＰＣカードか、ＣＡＳＳモジュールとの通信のために規定し直されたものであるかを調べる。ＰＣカードが規定し直されたものであるときにのみ、トランスポートストリームをそのＣＡＳＳモジュールに転送する。
【００３０】
ＣＩＳを読み出すためには、特にＣＩＳの各バイトを読出している間、ＰＣカードのアドレスラインＡ０〜Ａ２５を安定に保つ必要がある。好ましい実施の形態において、トランスポートストリームのＣＡＳＳモジュールへの転送ラインとして、ＰＣカードのアドレスラインＡ１５〜Ａ２５が割り当てられる。
【００３１】
トランスポートストリームが、ＣＩＳの読出しに干渉するのを避けるために、各インタフェースセクション６には、出力ライン８の途中に出力ゲート１３が設けられている。これにより、ＣＩＳの読出しの間、バスライン７からＣＡＳＳモジュールへトランスポートストリームが転送されるのを防ぐ。
【００３２】
ＣＩＳデータは、通常、数百バイトに過ぎないので、上述した上位のアドレスラインＡ１５〜Ａ２５のレベルは、ＣＩＳの読出しの間、ハイレベルである必要はなく、ローレベルに保っておいて構わない。したがって、制御ライン１４を各出力ゲート１３に設けることによって、これらのアドレスラインをローに保っておくことができる。初期化が終了すれば、これらのラインを介してトランスポートストリームを転送する。
【００３３】
図３に示す実施の形態では、トライステートバッファ１１と出力ゲート１３が、単一の電子制御スイッチであるトランスポートストリームハンドラ１５（以下ＴＳハンドラ１５という。）に置き換えられている。
【００３４】
図４に、図３のＴＳハンドラ１５の内部構造を示す。図５は、図４に示す実施の形態の変形例である。図５に示す実施の形態は、インタフェースセクション６の設計としては、図４のものより各セクションの外部に余分な配線を含まずそれらを直接接続すればよいという点で優れているが、余分な入力端子を必要とするという点で劣っている。
【００３５】
上述したように、ＴＳハンドラ１５が、図２に示すトライステートバッファ１１と出力ゲート１３の代わりをする。このＴＳハンドラ１５は、複数のラインを備えるバスライン７のための１つの入力端子と、出力ライン８又はバスライン１０へ供給される、それぞれが複数のラインを備えた２つの出力端子とを備えているという点で特に有益である。ＴＳハンドラ１５は、ＴＳイネーブルライン１２と制御ライン１４を備え、図２のトライステートバッファ１１と出力ゲート１３と同様の機能を有するが、単一の回路として製造されるために、ピンの接続端子の数を大幅に減らすことができる。トランスポートストリームは、トライステートバッファ１１と出力ゲート１３の両方に供給される必要はなく、さらに、図２の１１ビットのトライステートバッファ１１と出力ゲート１３は、一般的には入手可能でなく、またそれらの製造コストは、望ましいものではない。図３、４、５に示す実施の形態において、ＴＳハンドラ１５と命名された単一のカスタムデバイスを、各インタフェースセクション６として製造すればよいので、必要とされるピンの総数を減らせることなども含めて、非常に望ましい構成となる。実際、ＴＳハンドラ１５は、単一の集積回路として容易に製造される。
【００３６】
上述したことは、トランスポートストリームに関するもののみであったが、実際には、ＣＡＳＳモジュールは、コマンドインタフェースをも有する。コマンドラインは、上述したトランスポートストリーム用のラインと同様に接続される。しかしながら、コマンドデータとその転送レートを考慮して、図１に示すマイクロプロセッサのバスによるインタフェースを用いることができる。上述では、受信機をＤＶＢ受信機とする例を取り上げたが、本発明を、ＤＶＢ受信機以外の受信機に適用することもできる。
【００３７】
【発明の効果】
以上の説明から明らかなように、本発明では、１つ以上の限定受信モジュールを受信機に接続するインタフェースにおいて、限定受信モジュールが接続されるソケットと、ソケットに接続された複数の入力ライン及び複数の出力ラインとをそれぞれ有する複数のインタフェースセクションを備え、１つのインタフェースセクションの複数の入力ラインを次のインタフェースセクションの複数の出力ラインにそれぞれ接続することによって、複数のインタフェースセクションを直列に接続し、各インタフェースセクションは、そのインタフェースセクションの複数の出力ラインとそのインタフェースセクションの複数の入力ラインを接続する電子制御スイッチを有し、電子制御スイッチは、そのインタフェースセクションのソケットを選択的にバイパスし、各インタフェースセッションは、選択的に、そのインタフェースセクションの複数の出力ラインをソケットに接続し、又は複数の出力ラインのレベルとして所定のレベルを出力する、制御ラインを介して制御される電気的に制御可能な出力ゲートを有するインタフェースを提供する。これにより、各サービス業者に対応した複数のＣＡＳＳモジュールを１つの受信機に接続する際、どのＣＡＳＳモジュールをどのソケットに接続するかに拘わらず、また、ＣＡＳＳモジュールが挿入されていないソケットの有無に拘わらず、１つの受信機を用いて利用者が契約したサービスを享受することができる。さらに、ＣＡＳＳモジュールのカード情報の読出しに、トランスポートストリームが干渉するのを避けることができる。
【図面の簡単な説明】
【図１】  デジタルビデオ放送受信機のインタフェースの一般的な接続を示す図である。
【図２】  本発明の第１の実施の形態を示す図である。
【図３】  本発明の第２の実施の形態を示す図である。
【図４】  図３に示す実施の形態の内部回路を示す図である。
【図５】  図４に示す内部回路の変形例を示す図である。
【符号の説明】
１  ソケット、４  ＴＳ源、５  インタフェース、７  バスライン、８  出力ライン、９  入力ライン、１０  バスライン、１２  ＴＳイネーブルライン、１４  制御ライン、１５  ＴＳハンドラ
【図１】
0004079532.tif 000002
【図２】
0004079532.tif 000003
【図３】
0004079532.tif 000004
【図４】
0004079532.tif 000005
【図５】
0004079532.tif 000006